(57)【要約】【課題】ブランクに必要な面積を低減しつつ、垂直方向の剛性を向上する。【解決手段】矩形状をなす底壁１１と、底壁１１に連設した一対の第１端枠１２と、底壁１１に連設した一対の側壁１３と、側壁１３に連設した一対の第２端枠１４と、側壁１３に連設した第１蓋フラップ１５とを備え、側壁１３に、横方向に延びる第１破断手段１９と、第１破断手段１９の両端から縦方向に延びる第２破断手段２１とを設けるとともに、側壁１３と第１蓋フラップ１５の境界部分に沿って第３破断手段２４を設けた箱本体１０と、第１端枠１２および第２端枠１４に貼着してこれらに囲繞された開口部分を閉塞する端壁２７と、端壁２７に連設するとともに側壁１３と第２端枠１４との隅部に位置する補強柱片２８と、端壁２７に連設した第２蓋フラップ２９とを備えた一対の端壁体２６とからなる構成とする。【選択図】図１
2005153961.tif 000002
【特許請求の範囲】
【請求項１】
矩形状をなす底壁と、該底壁の対向する縁に連設した一対の第１端枠と、前記底壁の他の対向する縁に連設した一対の側壁と、該側壁の両端縁に連設した一対の第２端枠と、前記側壁の上縁に連設した第１蓋フラップとを備え、前記側壁に、前記第１蓋フラップと並行な横方向に延びる第１破断手段と、該第１破断手段の両端から側壁と前記第１蓋フラップとの境界部分に向けて縦方向に延びる第２破断手段とを設けるとともに、前記側壁と第１蓋フラップの境界部分に沿って前記第２破断手段の上端から外向きに延びる第３破断手段を設けた箱本体と、
前記第１端枠および第２端枠に貼着してこれらに囲繞された開口部分を閉塞する端壁と、該端壁の両側縁に連設するとともに前記側壁と第２端枠との隅部に位置する補強柱片と、前記端壁の上縁に連設した第２蓋フラップとを備えた一対の端壁体と
からなることを特徴とする紙製包装箱。
【請求項２】
前記箱本体の第１破断手段は、前記第２端枠の端縁から横方向に連続的に貼着したカットテープと、前記第２破断手段の基部と対応する位置を前記カットテープとともに切断した切断線とからなり、前記第１破断手段の外側を前記カットテープによる第４破断手段とする一方、
前記端壁体は、前記第１端枠と対応する位置、および、前記第２端枠における前記第４破断手段の上側位置の少なくとも一部のみ貼着されていることを特徴とする請求項１に記載の紙製包装箱。
【発明の詳細な説明】
【技術分野】
【０００１】
本発明は、商品の輸送に使用するとともに、店頭で一部を破断して内部に収容した商品を露出させて展示可能とした紙製包装箱に関するものである。
【背景技術】
【０００２】
本発明の紙製包装箱に関連する先行技術文献情報としては次のものがある。
【０００３】
【特許文献１】実開平２−１４８９２６号公報
【特許文献２】特開平７−２２３６３０号公報
【０００４】
この特許文献１の紙製包装箱は、四方を囲繞する４つの壁面のうち、対向する一対の側壁に、横方向に延びる第１破断手段が設けられるとともに、該第１破断手段の両端から天蓋を構成する外フラップとの境界線にかけて延びる第２破断手段が設けられている。また、前記側壁と外フラップとの境界部分には、前記第２破断手段の上端から外向きに延びる第３破断手段が設けられ、前記第１および第２破断手段により囲繞された部分を外フラップと一緒に分離できるように構成している。また、この特許文献１では、側壁の一部および外フラップを分離した状態で、上側に位置する内フラップが内部の商品を覆い隠すのを防止するために、第４破断手段が設けられ、一部を分離できるように構成している。
【発明の開示】
【発明が解決しようとする課題】
【０００５】
しかしながら、この特許文献１の紙製包装箱では、内部の商品を露出させるために側壁の一部を分離するため、特にこの分離状態では箱自体の剛性が低下する。そのため、販売店の店頭において、最上段に積み上げた紙製包装箱しか一部を分離して開口させることができないという問題がある。
【０００６】
一方、特許文献２には、箱本体と、別体の蓋体とからなり、箱本体の端壁に、袖片、補強片および接合片からなる略三角形状の補強柱を形成するようにした紙製包装箱が提供されている。そのため、この特許文献２の紙製包装箱に、特許文献１の破断手段を付加すれば積み重ねた下側の紙製包装箱をも一部を破断して露出させることが可能になると考えられる。しかし、この特許文献２の補強柱は、形成するためのブランクが大型化するため、コスト高になるという問題がある。
【０００７】
そこで、本発明では、一部を分離して内部に収容した商品を露出可能とした紙製包装箱において、ブランクに必要な面積を低減しつつ、垂直方向の剛性を向上することを課題とするものである。
【課題を解決するための手段】
【０００８】
前記課題を解決するため、本発明の紙製包装箱は、矩形状をなす底壁と、該底壁の対向する縁に連設した一対の第１端枠と、前記底壁の他の対向する縁に連設した一対の側壁と、該側壁の両端縁に連設した一対の第２端枠と、前記側壁の上縁に連設した第１蓋フラップとを備え、前記側壁に、前記第１蓋フラップと並行な横方向に延びる第１破断手段と、該第１破断手段の両端から側壁と前記第１蓋フラップとの境界部分に向けて縦方向に延びる第２破断手段とを設けるとともに、前記側壁と第１蓋フラップの境界部分に沿って前記第２破断手段の上端から外向きに延びる第３破断手段を設けた箱本体と、前記第１端枠および第２端枠に貼着してこれらに囲繞された開口部分を閉塞する端壁と、該端壁の両側縁に連設するとともに前記側壁と第２端枠との隅部に位置する補強柱片と、前記端壁の上縁に連設した第２蓋フラップとを備えた一対の端壁体とからなる構成としている。
【０００９】
この紙製包装箱では、前記箱本体の第１破断手段は、前記第２端枠の端縁から横方向に連続的に貼着したカットテープと、前記第２破断手段の基部と対応する位置を前記カットテープとともに切断した切断線とからなり、前記第１破断手段の外側を前記カットテープによる第４破断手段とする一方、前記端壁体は、前記第１端枠と対応する位置、および、前記第２端枠における前記第４破断手段の上側位置の少なくとも一部のみ貼着されていることが好ましい。
【発明の効果】
【００１０】
本発明の紙製包装箱では、第１から第３の破断手段によって箱本体の一部を開口し、内部に収容した商品を露出できるようにしているため、販売店の店頭において消費者への販売促進効果を得ることができる。また、この紙製包装箱では、一部を破断するため、この状態での剛性は低くなり、上部に他の包装箱を積み上げた場合には座屈する可能性があるが、補強柱片が側壁と第２端枠との隅部に位置するため、垂直方向の剛性を高めることができ、前記座屈の問題が生じることを確実に防止できる。さらに、前記補強柱片は、端壁に連設したシート片からなるため、形成するためのブランクが大型化することに伴うコスト高の問題を防止できる。
【００１１】
また、第１破断手段の外側に横方向に延びる第４破断手段を設けるとともに、別体からなる端壁体は、第１端枠と対応する位置と、前記第４破断手段の上部のみを貼着するため、前記第４破断手段によって側壁から第２端枠にかけて破断すると、端枠とともに貼着した端壁体をフラットな状態に折畳むことができる。そのため、使用後に包装箱を簡単に解体することが可能になり、使用上の利便性を向上することができる。
【発明を実施するための最良の形態】
【００１２】
以下、本発明の実施の形態を図面に従って説明する。
【００１３】
図１は、本発明の実施形態に係る包装箱を示す。この包装箱は、大略、底壁１１および一対の側壁１３を備えた箱本体１０と、該箱本体１０とは別体の端壁体２６とからなり、これらの所定位置を酢酸ビニルエマルジョン系の接着剤などにより一体に貼着することにより形成したものである。
【００１４】
前記箱本体１０および端壁体２６は、表紙および裏紙の間に波状の中しんを配設した周知の段ボール紙を、図示しない周知の紙器打抜装置によりそれぞれブランクとして打ち抜いて形成されている。箱本体１０を構成する段ボール紙には、製造時に裏紙の表面に中しんの延び方向と直交方向に延びるカットテープ１が貼着されている。このカットテープ１は、段ボール紙を中しんと直交する横方向に破断する第１および第４破断手段１９，２５を構成するもので、本実施形態では、一面に接着剤が塗布されたポリプリピレン製のテープが適用されている。
【００１５】
具体的には、前記箱本体１０は、図１および図６に示すように、矩形状をなす底壁１１と、該底壁１１の対向する左右の縁に連設した一対の第１端枠１２と、前記底壁１１の他の対向する上下の縁に連設した一対の側壁１３と、該側壁１３の両端縁に連設した一対（合計で４個）の第２端枠１４と、前記側壁１３の上縁に連設した第１蓋フラップ１５とを備えている。そして、これらの各境界部分には、打ち抜き時に罫を入れて肉厚を圧縮するように形成した折曲線１６が形成されている。そのうち、前記第１端枠１２および第２端枠１４の間には、組立状態で互いに重畳しないように略Ｖ字形状の切欠部１７が設けられている。また、第１蓋フラップ１５は、組立状態で側壁１３および後述する端壁体２６の端壁２７により囲繞された上端開口を完全に閉塞する外フラップの役割をなすもので、その両端縁には、組立状態の第２端壁の上端縁および端壁２７の形状と一致するように切欠部１８が設けられている。
【００１６】
そして、本実施形態では、前記箱本体１０には、第１から第４の破断手段１９，２１，２４，２５が設けられ、これらにより包装箱の一部を分離して、その開口より内部に収容した商品を露出できるようにしている。
【００１７】
前記第１破断手段１９は、前記側壁１３の中央において、下側でかつ前記切欠部１７の上側に位置するように、第１蓋フラップ１５と並行な横方向に延びるように形成したものである。そして、本実施形態では、この第１破断手段１９は、第２端枠１４，１４の端縁間に横向きに連続的に貼着した前記カットテープ１と、該カットテープ１とともに打ち抜き時に同時に切断した一対の切断線２０により構成している。この切断線２０は、前記カットテープ１を一緒に垂直方向に切断した垂直切断部２０ａと、該垂直切断部２０ａの下端に水平方向に延びるように設けた第１水平切断部２０ｂと、垂直切断部２０ａの上部から横方向内向きに延びるように設けた第２水平切断部２０ｃと、該第２水平切断部２０ｃの下部において垂直切断部２０ａから横方向外向きに延びるように設けた第３水平切断部２０ｄとからなる。なお、第１水平切断部２０ｂは、組立状態でカットテープ１より下部に位置し、第２，第３水平切断部２０ｃ，２０ｄは、組立状態でカットテープ１より上部に位置する。
【００１８】
前記第２破断手段２１は、第１破断手段１９の両端から側壁１３と前記第１蓋フラップ１５との境界部分に向けて縦方向に延びるように形成したものである。そして、本実施形態では、この第２破断手段２１は、所定間隔をもって直線上に延びる切断ライン２２と、該切断ライン２２の下端に設けたガイドライン２３とからなる所謂片ジッパーにより構成されている。前記ガイドライン２３は、分離される内側部分に向けて傾斜するように設けられている。
【００１９】
前記第３破断手段２４は、前記側壁１３と第１蓋フラップ１５の境界部分に沿って、即ち、これらの境界部分に設けた折曲線１６に沿って前記第２破断手段２１の上端から外向きに延びるように形成したものである。そして、本実施形態では、この第３破断手段２４は、第２破断手段２１と同様に、切断ライン２２とガイドライン２３とからなる片ジッパーにより構成されている。この第３破断手段２４のガイドライン２３は、切断ライン２２の内側端より第１蓋フラップ１５に向けて傾斜するように設けられている。
【００２０】
前記第４破断手段２５は、前記切断線２０の外側に位置するカットテープ１により構成している。言い換えれば、この第４破断手段２５は、切断線２０における垂直切断部２０ａの外側に位置する第２端枠１４の縁まで延びるカットテープ１により構成している。
【００２１】
前記端壁体２６は、図１および図７（Ａ）に示すように、前記箱本体１０における第１端枠１２および第２端枠１４に貼着してこれらに囲繞された開口部分を閉塞する端壁２７と、該端壁２７の両側縁に連設するとともに前記側壁１３と第２端枠１４との隅部に位置する補強柱片２８と、前記端壁２７の上縁に連設した第２蓋フラップ２９とを備えている。そして、これらの各境界部分には、打ち抜き時に罫を入れて肉厚を圧縮するように形成した折曲線３０が形成されている。
【００２２】
前記端壁２７は、箱本体１０において第１端枠１２の下端から第２端枠１４の上端縁にかけて延びるように設定されるとともに、第２端枠１４の内端と若干の寸法で重畳（オーバーラップ）する寸法に設定されている。言い換えれば、端壁２７の横方向の幅は、箱本体１０において対向する側壁１３，１３の間にかけて位置する寸法より小さく形成されている。
【００２３】
前記補強柱片２８は、端壁２７に連設した一枚のシート片からなる。両側の補強柱片２８，２８の端縁間の寸法は、前記箱本体１０において対向する側壁１３，１３の間の寸法より大きく設定され、組付状態では、この補強柱片２８が隣接する側壁１３の内面にかけて傾斜して延びるように設定されている。そして、本実施形態では、折曲線３０から該補強柱片２８内にかけて延びる横凹字形状の切断線３１が設けられ、その間に、前記端壁２７に面一で連続する上下一対の糊代部３２Ａ，３２Ｂが設けられている。言い換えれば、端壁２７と補強柱片２８との境界部分には、横凹字形状をなす上下一対の横凹字形状の切断線３１が設けられ、この切断線３１，３１の両端間を除く部分に折曲線３０を形成することにより、端壁２７の両端に面一に連続する一対の糊代部３２Ａ，３２Ｂを形成している。そして、これら糊代部３２Ａ，３２Ｂの先端間の寸法は、箱本体１０における対向する側壁１３，１３の間の寸法と略一致する幅で形成されている。また、下側に位置する糊代部３２Ｂは、前記箱本体１０におけるカットテープ１の上側に位置するように設定されている。また、糊代部３２Ｂの下部に位置する折曲線３０には、折曲性を向上するために、その中間位置に折曲線３０に沿って延びる切断線３３が設けられている。
【００２４】
前記第２蓋フラップ２９は、箱本体１０において対向する側壁１３，１３の間の寸法と略一致する幅で形成され、組立状態で前記第１蓋フラップ１５の内側に位置し、対角方向の包装箱の歪みを防止する内フラップの役割をなすものである。本実施形態では、図７（Ｂ）に示すように、この第２蓋フラップ２９と端壁２７との上端両側の境界部分に、略段ボール紙の肉厚分の段差を設け、第２蓋フラップ２９を折り曲げると、その端縁が第２端枠１４の内面に係止することにより、折曲状態が維持されるように構成している。
【００２５】
次に、前記包装箱の使用方法について具体的に説明する。
【００２６】
前記構成からなる紙製の包装箱は、図１に示すように、底壁１１に対して一対の第１端枠１２および側壁１３をそれぞれ折り曲げるとともに、側壁１３に対して一対の第２端枠１４を折り曲げる。また、端壁２７に対して一対の補強柱片２８を折り曲げ、第１端枠１２と対応する端壁２７の下部、および、端壁２７より面一に突出する糊代部３２Ａ，３２Ｂに接着剤を塗布し、箱本体１０における端枠１２，１４の内面側に配置する。これにより、別体からなる箱本体１０と端壁体２６とは、第１端枠と対応する位置、および、前記第２端枠１４における前記第４破断手段２５の上側位置の一部のみ貼着される。
【００２７】
この組立状態では、図２（Ａ）に示すように、隣接する側壁１３と端壁２７との間の隅部には、斜めに補強柱片２８が位置する。この状態で、ボトルへの詰め替え用薬液などの液体を収容したスタンディングパウチなどの商品を上端開口から収容させ、第２蓋フラップ２９および第１蓋フラップ１５の順番で折り曲げ、図２（Ｂ）に示すように、互いの先端縁が突き合わさった第１蓋フラップ１５を周知の方法で固定する。
【００２８】
この商品の収容状態では、図３に示すように、補強柱片２８の下端縁が底壁１１上に載置されるとともに、補強柱片２８の上端縁に第２蓋フラップ２９が載置され、この第２蓋フラップ２９上を第１蓋フラップ１５が覆うように閉塞している。そのため、この包装箱は、前記補強柱片２８により垂直方向の剛性が高められているため、複数の包装箱を積み重ねても、その重量により箱全体が座屈および変形することを防止でき、輸送に係る利便性に優れている。
【００２９】
一方、前記包装箱に収容した商品を販売する販売店の店頭では、希望の包装箱を第１から第３の破断手段１９，２１，２４によりその一部を破断して開口した状態とし、内部に収容した商品を外部から確認可能な状態で露出させる。
【００３０】
具体的には、まず、側壁１３の第１破断手段１９において、一方の切断線２０の垂直切断部２０ａの端縁をカットテープ１とともに把持し、それぞれ内向きに引っ張る。これにより、側壁１３は、カットテープ１によって裂かれるように破断される。なお、この破断は、他方の切断線２０の垂直切断部２０ａに達すると停止する。
【００３１】
ついで、第１破断手段１９による破断により形成された空間部分に手を差し込み、第２破断手段２１，２１の間の分離部３４の縁を把持する。そして、上向きに引き上げることにより、第２破断手段２１に沿って第３破断手段２４まで側壁１３を破断する。
【００３２】
その後、分離部３４と第１蓋フラップ１５との境界部分を把持し、外向きに引っ張ることにより、第３破断手段２４に沿って側壁１３と第１蓋フラップ１５とを破断する。または、第１蓋フラップの側縁を把持し、内向きに引っ張ることにより、第３破断手段２４に沿って側壁１３と第１蓋フラップ１５とを破断する。
【００３３】
このようにして一部を開口させた包装箱は、開口されているか否かに拘わらず、図４に示すように、希望に応じて積み重ねることができる。なお、図示では、両側の側壁１３をそれぞれ開口した２個の包装箱を積み重ねている。
【００３４】
この状態において、従来の特許文献１では、一部を開口することにより包装箱全体の剛性が低下するため、座屈したり変形して複数の包装箱を積み重ねた状態を維持できない可能性があったが、本実施形態では、各隅部に補強柱片２８を配設することにより垂直方向の剛性を高めているため、前記した問題が生じることはなく、確実に積み重ねた状態を維持できる。即ち、販売店の店頭では、開口させた包装箱と開口させていない包装箱とを希望に応じて積み上げることができるため、消費者への販売促進効果を最大限に得ることができる。
【００３５】
また、本実施形態の補強柱片２８は、端壁２７に連設したシート片からなるため、従来の特許文献２と比較すると形成するためのブランクの小型化を図ることができる。そのため、包装箱を構成するブランクが大型化することに伴うコスト高の問題を防止できる。
【００３６】
次に、使用した包装箱を廃棄する場合について説明する。
【００３７】
不要になって包装箱を廃棄する場合には、まず、図５（Ａ）に示すように、切断線２０の外側に位置する第４破断手段２５の端縁をカットテープ１とともに把持し、それぞれ外向きに引っ張る。これにより、側壁１３および第２端枠１４がカットテープ１によって裂かれるように破断される。なお、この破断は、第２端枠１４の縁に達すると停止する。
【００３８】
このように第４破断手段２５により残った側壁１３および第２端枠１４を破断すると、端壁体が第１端枠１２と第４破断手段２５の上部である糊代部３２Ａ，３２Ｂのみを箱本体１０と貼着しているため、図５（Ｂ）に示すように、貼着した端壁体２６を第１端枠１２および第２端枠１４の上側とともにフラットな状態に折畳むことができる。即ち、使用後の包装箱は、簡単にフラットな状態に解体することが可能であるため、使用上の利便性を向上することができる。
【００３９】
なお、本発明の紙製包装箱は、前記実施形態の構成に限定されるものではなく、種々の変更が可能である。
【００４０】
例えば、前記実施形態では、端壁体２６は、前記第１端枠１２と対応する位置、および、前記第２端枠１４における前記第４破断手段２５の上側位置の一部（糊代部３２Ａ，３２Ｂ）のみを貼着する構成としたが、第４破断手段２５の上部全体を第２端枠１４に貼着してもよい。
【００４１】
また、前記実施形態では、第１，第４破断手段１９，２５をカットテープ１と切断線２０とで構成したが、第２，第３破断手段２１，２４のような片ジッパーを所定間隔をもって対称に設けることにより構成することも可能である。即ち、第１から第４の破断手段１９，２１，２４，２５は、前記実施形態の構成に限定されず、希望に応じて変更が可能である。
【図面の簡単な説明】
【００４２】
【図１】本発明の実施形態に係る包装箱を示す分解斜視図である。
【図２】組立状態の包装箱を示し、（Ａ）は蓋フラップを開放した状態を示す斜視図、（Ｂ）は蓋フラップを閉塞した状態を示す斜視図である。
【図３】蓋フラップを閉塞した包装箱の要部断面図である。
【図４】一部を破断して開口した包装箱を積み重ねた状態を示す斜視図である。
【図５】（Ａ），（Ｂ）は使用後の包装箱を展開して廃棄する工程を示す斜視図である。
【図６】箱本体のブランクを示す平面図である。
【図７】（Ａ）は端壁体のブランクを示す平面図、（Ｂ）は（Ａ）の要部拡大平面図である。
【符号の説明】
【００４３】
１…カットテープ、１０…箱本体、１１…底壁、１２…第１端枠、１３…側壁、１４…第２端枠、１５…第１蓋フラップ、１９…第１破断手段、２０…切断線、２１…第２破断手段、２４…第３破断手段、２５…第４破断手段、２６…端壁体、２７…端壁、２８…補強柱片、２９…第２蓋フラップ、３２Ａ，３２Ｂ…糊代部。
【図１】
2005153961.tif 000003
【図２】
2005153961.tif 000004
【図３】
2005153961.tif 000005
【図４】
2005153961.tif 000006
【図５】
2005153961.tif 000007
【図６】
2005153961.tif 000008
【図７】
2005153961.tif 000009